(57)【要約】【課題】高圧トランスにおいて、１つのトランスにより複数個の放電ランプを安定して放電、点灯することを可能としつつ、大幅な小型化および低コスト化を図る。【解決手段】高圧トランス１１は、２つのＣＦＬを同時に放電、点灯させるためのインバータトランスであり、棒状磁芯３０に１次側巻線（４５）、および２本の導線からなる２次側巻線（４６、４７ａ，ｂ）が巻回されている。２次側巻線（４６、４７ａ，ｂ）は、２本の導線が共通に巻回される共通巻線部分（４６）と２本の導線が各別に巻回される独立巻線部分（４７ａ，ｂ）からなる。セクション４７ａ，ｂについて巻回操作が行われない導線については、巻回操作が行われる導線との間で絶縁しつつ通過させるため、セクション４７ａ，ｂのボビン巻回表面に刻設された溝部に埋設するようにしている。【選択図】　　　　　図１
2004087659.tif 000002
【特許請求の範囲】
【請求項１】
１次側巻線に印加される１つの交流電圧入力を変圧して、複数の２次側巻線の各々から所定の交流電圧出力を発生せしめる高圧トランスにおいて、
該複数の２次側巻線を単一の巻軸に巻回するとともに、該２次側巻線の巻回領域を、絶縁仕切板によって前記巻軸の軸方向に配列される複数のセクションに分割し、
前記セクションのうち、低電圧側のセクションにおいては、前記複数の２次側巻線を同一のセクションに巻回するようになし、
前記セクションのうち、高電圧側のセクションにおいては、前記複数の２次側巻線毎に、対応するセクションに巻回するようになしたことを特徴とする高圧トランス。
【請求項２】
前記複数の２次側巻線が第１および第２の２本の巻線からなり、前記複数のセクションは、該第１の巻線が巻回されるセクションと該第２の巻線が巻回されるセクションとを交互に配列するように設定されてなることを特徴とする請求項１記載の高圧トランス。
【請求項３】
前記高圧側のセクションの各々は、当該セクションに巻回される所定の巻線以外の巻線を、該所定の巻線との間で絶縁して通過せしめる溝部を備えたことを特徴とする請求項１または２記載の高圧トランス。
【請求項４】
前記溝部は、前記セクションの各々において、両側部に位置する２つの前記絶縁仕切板間に亘って前記巻軸の表面に刻設されてなり、
前記所定の巻線以外の巻線がこの溝部内に埋設されて、該巻軸の表面に巻回された前記所定の巻線との間の絶縁処理がなされることを特徴とする請求項３記載の高圧トランス。
【請求項５】
前記溝部は、前記セクションの各々において、両側部に位置する２つの前記絶縁仕切板の外周面に刻設されてなり、
前記所定の巻線以外の巻線がこれらの溝部内に嵌挿され、２つの絶縁仕切板間に張設されて、該巻軸の表面に巻回された前記所定の巻線との間の絶縁処理がなされることを特徴とする請求項３または４記載の高圧トランス。
【請求項６】
前記巻軸の巻芯はフェライトにより形成されていることを特徴とする請求項１から５のうちいずれか１項記載の高圧トランス。
【発明の詳細な説明】
【０００１】
【発明の属する技術分野】
本発明は、例えば、液晶表示パネルにおけるバックライト用放電灯の点灯回路に用いられる高圧トランスに関し、特にＤＣ／ＡＣインバータ回路に用いられる高圧トランスに関するものである。
【従来の技術】
従来より、例えば、ノートパソコン等に使用される各種液晶表示パネルのバックライト用として数本以上の冷陰極放電ランプ（以下、ＣＦＬと称する）を同時に放電、点灯させるようにしたものが知られている。このようにＣＦＬを数本以上用いることで、液晶表示パネルの高輝度化、均一照明化等の要請に対応することができる。
この種のＣＦＬを点灯させる回路としては、１２Ｖ程度の直流電圧を、高圧トランスを用い、６０ｋＨｚ、１６００Ｖ程度の高周波電圧に変換して放電を開始せしめるインバータ回路が一般的である。上記放電開始後において、このインバータ回路は、上記高周波電圧をＣＦＬの放電維持に必要な６００Ｖ程度まで低下させるように制御する。
【０００２】
このようなインバータ回路に使用される高圧トランス（インバータトランス）は、液晶表示パネルの薄型化の要請から小型サイズのものが用いられているが、１枚の液晶ディスプレイに対して、上記ＣＦＬの本数に応じた数だけ必要とされることから、さらなる省スペース化および製造コストの低廉化を図る技術の確立が急務である。このような要請に応じたものとしては、例えば、特開２００１−２６７１５６号公報に記載されたものが知られている。
【０００３】
この公報記載のインバータトランスは、１つのトランスで複数のＣＦＬを点灯させることができ、しかも各ＣＦＬの放電動作のばらつきを抑制し得るもので、図１１に示すように、単一の１次側巻線１に対して、２つの２次側巻線２（各々が、対応するＣＦＬに対して高周波電圧を出力する）が互いに電磁気的に等価な状態となるように結合されている。また、各２次側巻線２は、軟磁性材料であるフェライト等からなる棒状磁芯３に各別に巻回されており、棒状磁芯３は１次側巻線１と電磁気的に結合している。さらに、各２次側巻線２は、棒状磁芯３の軸に沿って巻回されており、高電圧の発生に伴う絶縁破壊を阻止するため、その軸方向に複数セクションに分割され、各セクション間に絶縁性の仕切り板４が設けられ、沿面放電の阻止に必要な沿面距離が保持されている。
【０００４】
各２次側巻線２は、実際には筒状のボビン５の外周に巻回されており、棒状磁芯３はそのボビン５の内方に嵌挿されている。１次側巻線１も筒状のボビン６に巻回され、この１次側巻線用ボビン６は、棒状磁芯３の図中下端部分が挿入可能となるように形成されている。さらに、１次側巻線用端子台７と２次側巻線用端子台８を備えている。
【０００５】
このように構成された公報記載の技術によれば、インバータトランスが、負荷の個数と１対１の関係で増加することなく、したがって、全体構成が従来のものに比べて小型で、また低コストで得られるという効果がある。
【０００６】
【発明が解決しようとする課題】
しかしながら、上記公報記載技術のものでは、従来のものに比べて小型で、低コストとなってはいるものの、２次側巻線を巻回するための棒状磁芯が負荷の数に対応した数だけ必要とされることから、その小型化および低コスト化は十分なものとはなっていなかった。
【０００７】
また、２次側巻線を巻回するための棒状磁芯が複数配されていることから、複数の２次側巻線を互いに電磁気的に等価な状態とすることが必ずしも容易ではなく、そのことが低コスト化を図る上で障害となっていた。
【０００８】
本発明はこのような事情に鑑みなされたものであり、１つのトランスにより複数個の放電ランプを安定して放電、点灯することが可能で、大幅に小型化および低コスト化を図り得る高圧トランスを提供することを目的とするものである。
【０００９】
【課題を解決するための手段】
このような目的を達成するため、本発明の高圧トランスは、１次側巻線に印加される１つの交流電圧入力を変圧して、複数の２次側巻線の各々から所定の交流電圧出力を発生せしめる高圧トランスにおいて、
該複数の２次側巻線を単一の巻軸に巻回するとともに、該２次側巻線の巻回領域を、絶縁仕切板によって前記巻軸の軸方向に配列される複数のセクションに分割し、
前記セクションのうち、低電圧側のセクションにおいては、前記複数の２次側巻線を同一のセクションに巻回するようになし、
前記セクションのうち、高電圧側のセクションにおいては、前記複数の２次側巻線毎に、対応するセクションに巻回するようになしたことを特徴とするものである。
【００１０】
ここで、「低電圧側」と「高電圧側」の用語は、相対的に用いられるものであって、その境界は複数の２次側巻線間で絶縁破壊が起き得るか否かということであり、境界値は、その状況に応じて適宜設定可能である。
【００１１】
また、前記複数の２次側巻線が第１および第２の２本の巻線からなり、前記複数のセクションは、該第１の巻線が巻回されるセクションと該第２の巻線が巻回されるセクションとを交互に配列するように設定されてなるように構成することが可能である。
【００１２】
また、前記高圧側のセクションの各々は、当該セクションに巻回される所定の巻線以外の巻線を、該所定の巻線との間で絶縁して通過せしめる溝部を設けるように構成することが好ましい。
【００１３】
また、前記溝部は、前記セクションの各々において、両側部に位置する２つの前記絶縁仕切板間に亘って前記巻軸の表面に刻設されてなり、
前記所定の巻線以外の巻線がこの溝部内に埋設されて、該巻軸の表面に巻回された前記所定の巻線との間の絶縁処理がなされるように構成することが可能である。
【００１４】
さらに、前記溝部は、前記セクションの各々において、両側部に位置する２つの前記絶縁仕切板の外周面に刻設されてなり、
前記所定の巻線以外の巻線がこれらの溝部内に嵌挿され、２つの絶縁仕切板間に張設されて、該巻軸の表面に巻回された前記所定の巻線との間の絶縁処理がなされるように構成することが可能である。
【００１５】
なお、前記巻軸の巻芯は、フェライトにより形成されていることが好ましいが、センダストやダストコア等のその他の一般的なコア材料から形成することは可能である。
【００１６】
【発明の実施の形態】
以下、本発明の実施形態に係る高圧トランスについて、添付図面を参照しつつ詳細に説明する。
図１および図２は、本発明の第１実施形態に係る高圧トランスの概略構成を説明するもので、図１（ａ）は上面図、同図（ｂ）は（ａ）に示されるＡ−Ａ線縦断面図であり、図２（ａ）は一部側面図、同図（ｂ）は（ａ）に示されるＢ−Ｂ線横断面図である。
【００１７】
本実施形態の高圧トランス１１は、２つのＣＦＬ（冷陰極放電ランプ）を同時に放電、点灯させるためのＤＣ／ＡＣインバータ回路内で使用されるインバータトランスであり、軟磁性材料であるフェライト等からなる棒状磁芯３０に１次側巻線（セクション４５）、および２本の導線からなる２次側巻線（セクション４６、４７ａ，ｂ）が巻回されている。また、２次側巻線（セクション４６、４７ａ，ｂ）は、２本の導線が共通に巻回される共通巻線部分（セクション４６）と２本の導線が各別に巻回される独立巻線部分（セクション４７ａ，ｂ）から構成されており、１次側巻線（セクション４５）および２次側巻線（セクション４６、４７ａ，ｂ）は、共通の棒状磁芯３０により互いに電磁気的に結合している。
【００１８】
上記２次側巻線（セクション４６、４７ａ，ｂ）は、棒状磁芯３０の軸に沿って巻回されるが、隣接する巻線間に高電圧差が生じて絶縁破壊が生じるのを阻止するため、その軸方向に複数セクション４６、４７ａ，ｂに分割されており、各セクション４６、４７ａ，ｂ間には絶縁性の仕切り板４２、４３が設けられ、沿面放電の阻止に必要な沿面距離が保持されている。なお、１次側巻線（セクション４５）と２次側巻線（セクション４６、４７ａ，ｂ）の間にも絶縁性の仕切り板４４が設けられている。
【００１９】
１次側巻線（セクション４５）および２次側巻線（セクション４６、４７ａ，ｂ）は、実際には、断面矩形で筒状のボビン２１の外周に巻回されており、棒状磁芯３０はそのボビン２１の内方に嵌挿されている。また、ボビン２１の両端面には、鍔板４１ａ，ｂが設けられている。
【００２０】
棒状磁芯３０は、この棒状磁芯３０と同様の材料により形成された枠状磁芯２９と電磁気的に結合され、これにより磁路が形成される。
ただし、棒状磁芯３０と枠状磁芯２９との間のギャップ量は、漏れ磁束をどの程度発生させるかによって決定され、このギャップ量を略０にすることも可能である。また、上記枠状磁芯２９を設けることなく、磁芯は棒状磁芯３０のみで構成し、完全に開磁路構造に形成することも可能である。
【００２１】
１次側巻線（セクション４５）の始端、中間端子（省略することが可能；後述する図６の回路は中間端子が省略されたものである。）および終端は、巻線用端子台２７に保持固定された端子ピン１７ｂ〜１７ｄに接続されており、また、２次側巻線（セクション４６、４７ａ，ｂ）の始端は上記巻線用端子台２７に保持固定された端子ピン１７ａ，ｅに、一方、その終端は巻線用端子台２８に保持固定された端子ピン１８ａ，ｂに接続される。これら端子台２７、２８は、絶縁材から形成されている。なお、１次側巻線（セクション４５）および２次側巻線（セクション４６、４７ａ，ｂ）の始端および終端の端子ピン１７ａ〜ｅ、１８ａ，ｂへの接続態様はこれに限られるものではない。
【００２２】
上述したように、本実施形態の高圧トランス１１は、２つのＣＦＬを同時に放電、点灯させるものであり、２次側巻線（セクション４６、４７ａ，ｂ）は、２本の導線を巻回することで構成されている。そして２次側巻線が巻回された各セクション４６、４７ａ，ｂは、２本の導線が共通に巻回される、低電圧側の共通巻線部分（３つのセクション４６）と、２本の導線が各別に巻回される高電圧側の独立巻線部分（各導線毎に３つのセクション４７ａ，ｂ）からなっている。
【００２３】
このように、本実施形態においては、各ＣＦＬを放電、点灯させるための２本の導線が、ボビン２１を介して１つの棒状磁芯３０上に巻回されており、これにより、複数個の放電ランプを放電、点灯する高圧トランスの小型化および製造費の低コスト化を大幅に促進することが可能である。
【００２４】
しかも、本実施形態においては、２次側巻線が巻回される各セクション４６、４７ａ，ｂが、共通巻線部分（セクション４６）と、独立巻線部分（セクション４７ａ，ｂ）とに区別されており、２本の導線間で絶縁破壊のおそれがない低電圧側ではこれら２本の導線が共通に巻回されて省スペース化が図られ、一方、２つのＣＦＬの放電、点灯のタイミングに時差がある場合等に２本の導線間で絶縁破壊のおそれがある高電圧側では２本の導線が各別に巻回されるように配慮されている。
【００２５】
そして、２本の導線が各別に巻回される独立巻線部分（セクション４７ａ，ｂ）では、第１の導線を巻回する２次側巻線（セクション４７ａ）と、第２の導線を巻回する２次側巻線（セクション４７ｂ）とが巻軸に沿って交互に配され、そのセクション４７ａ，ｂに巻回される導線と、そのセクションに巻回されない導線４７ａ，ｂとの絶縁状態が良好に保持されるように、かつ自動巻線機等を用いても導線の巻回操作を行ない得るように後述するような溝部が設けられている。
【００２６】
図３および図４は、上記第１実施形態に係る高圧トランスのボビン２１の概略構成を説明するもので、図３（ａ）は上面図、同図（ｂ）は底面図、同図（ｃ）は側面図、図４は要部斜視図である。
【００２７】
図示するように、共通巻線部分における３つのセクション４６を分離する仕切り板４２には、巻軸の径方向に略ボビン巻回表面に至るまで切り欠かれた溝部５０が設けられている。また、この共通巻線部分（セクション４６）と独立巻線部分（セクション４７ａ，ｂ）とを分離する仕切り板４３および独立巻線部分における６つのセクション４７ａ，ｂを分離する仕切り板４３には、巻軸の周方向に互いに所定角度だけ離れた２つの位置において、巻軸の径方向に、ボビン巻回表面よりも深い位置まで切り欠かれた溝部４９が設けられている。さらに、各セクション４７ａ，ｂのボビン巻回表面には、隣接する仕切り板４３の溝部４９を斜めに接続するように、溝部５１が刻設されている。なお、溝部４９を巻軸の軸と平行に刻設することも可能であるが、本実施形態のもののように該軸に対して傾いて、ボビン２１の角部を通過するような溝部４９とすれば、後述するように導線を溝部に埋設した場合に、その導線に対して適切な張力を付与することが容易である。
【００２８】
前述したように、共通巻線部分における３つのセクション４６に対しては、２本の導線が一緒に巻回されるようになっており、１つのセクション４６の巻回操作が終了すると、仕切り板４２の溝部５０を通された２本の導線により、次のセクション４６の巻回操作が行われるようになっている。そして、３つのセクション４６の巻回操作が全て終了すると、独立巻線部分における６つのセクション４７ａ，ｂの導線巻回操作が開始される。
【００２９】
独立巻線部分における６つのセクション４７ａ，ｂの導線巻回操作は、３つのセクション４７ａについては、第１の導線を巻回し、３つのセクション４７ｂについては、第２の導線を巻回することにより行われる。すなわち、第１の導線の巻回操作と第２の導線の巻回操作が交互に行われることになる。
その際、そのセクション４７ａ，ｂについて巻回操作が行われない導線については、巻回操作が行われる導線との間で絶縁しつつ通過させるため、図５に示すように、そのセクション４７ａ，ｂのボビン巻回表面に刻設された溝部５１に埋設するようにしている。すなわち、第１の導線７１ａが巻回されるセクション４７ａについては、第２の導線７１ｂが溝部５１に埋設され、一方、第２の導線７１ｂが巻回されるセクション４７ｂについては、第１の導線７１ａが溝部５１に埋設されるようになっている。
【００３０】
なお、この溝部５１は導線７１ａ，ｂを埋設した際に、そのセクション４７ａ，ｂに巻回される導線７１ａ，ｂと接触しない程度の深さを有するように形成されており、また導線を巻回する際に、埋設する導線７１ａ，ｂが浮き上がらない程度に張設されている。
【００３１】
また、仕切り板４３に形成された溝部４９は、溝部５１と滑らかに接続されるように形成されており、その接続部分において、これらの溝部４９、５１を通過する導線７１ａ，ｂが、他方の導線７１ａ，ｂと接触しないような深さとなるように形成されている。
【００３２】
図６は、上述した高圧トランス１１に２つのＣＦＬ（ＣＦＬ１、ＣＦＬ２）を接続した場合の回路例を示すものである。図示するように、高圧トランス１１と、その前段に配されたスイッチング回路９０とにより他励式のインバータ回路が構成される。スイッチング回路９０は、発振制御用ＩＣ９２とトランジスタＱからなり、入力された直流電圧（例えば１２Ｖ）を交流電圧に変換して１次側巻線１０１に印加するものであり、高圧トランス１１は、前述したように、２つの２次側巻線１０２ａ，ｂの両方に対して、ＣＦＬの放電開始時において６０ＫＨｚ、１６００Ｖ程度の高周波電圧を各々独立に発生させる。
【００３３】
このように構成された結果、いずれか一方のＣＦＬが先に放電しても、他方の２次側巻線１０２ａ，ｂの出力電圧は降下せず、一方のＣＦＬの放電、点灯後に、他方のＣＦＬを正常に放電、点灯させることが可能である。
【００３４】
図７および図８は本発明の第２実施形態に係る高圧トランスの概略構成を説明するもので、図７（ａ）はボビン上面図、同図（ｂ）はボビン底面図、図８（ａ）は図７のＡ側からみたときの側面図、同図（ｂ）は図７のＢ側からみたときの側面図である。なお、この第２実施形態は、上述した第１実施形態と比べると、主として共通巻線部分と独立巻線部分の溝部４９、５０、５１が異なっているので、この異なっている部分について詳細に説明し、その他の部分についての詳細な説明は省略する。また、図面上、第１実施形態と対応する部分については、第１実施形態において用いた付番に１００を加えて表す。
【００３５】
図示するように、この第２実施形態の高圧トランスのボビン１２１は、上記第１実施形態のものと同様に、１次側巻線（セクション１４５）、および２本の導線からなる２次側巻線（セクション１４６、１４７ａ，ｂ）が巻回される。また、２次側巻線（セクション１４６、１４７ａ，ｂ）は、上記第１実施形態のものと同様に、２本の導線が共通に巻回される共通巻線部分（セクション１４６）と２本の導線が各別に巻回される独立巻線部分（セクション１４７ａ，ｂ）から構成されており、１次側巻線（セクション１４５）および２次側巻線（セクション１４６、１４７ａ，ｂ）は、図示されない共通の棒状磁芯により互いに電磁気的に結合している。
【００３６】
上記２次側巻線（セクション１４６、１４７ａ，ｂ）は、上記第１実施形態のものと同様に、棒状磁芯３０の軸に沿って巻回され、その軸方向に複数のセクション１４６、１４７ａ，ｂに分割されており、各セクション１４６、１４７ａ，ｂ間には絶縁性の仕切り板１４２、１４３が設けられている。
【００３７】
また、上記第１実施形態のものと同様に、２次側巻線が巻回される各セクション１４６、１４７ａ，ｂが、共通巻線部分（セクション１４６）と、独立巻線部分（セクション１４７ａ，ｂ）とに区別されており、２本の導線間で絶縁破壊のおそれがない低電圧側ではこれら２本の導線が共通に巻回され、一方、２本の導線間で絶縁破壊のおそれがある高電圧側では２本の導線が各別に巻回されるように配慮されている。
そして、独立巻線部分（セクション１４７ａ，ｂ）では、第１の導線を巻回する領域（セクション１４７ａ）と、第２の導線を巻回する領域（セクション１４７ｂ）とが巻軸に沿って交互に配されている。
【００３８】
ところで、この第２の実施形態のものでは、この独立巻線部分の各セクション１４７ａ，ｂにおける２つの導線の絶縁操作が上記第１の実施形態のものとは異なっている。すなわち、第１の導線を巻回する、独立巻線部分（セクション１４７ａ）の巻軸径は大きく、第２の導線を巻回する、独立巻線部分（セクション１４７ｂ）の巻軸径は小さくなるように設定されている。
【００３９】
また、巻軸の径が大きい独立巻線部分（セクション１４７ａ）の一方の側面（Ａ側）においては、図９（ａ）に示すように、巻軸の径が小さい独立巻線部分（セクション１４７ｂ）の表面高さと同程度まで切り欠かれた溝部１５１が形成されている。なお、この溝部１５１は、図示するように、仕切り板１４３にも形成されている。
【００４０】
一方、ボビンの他方の側面（Ｂ側）においては、図９（ｂ）に示すように、各仕切り板１４３に浅い溝部１５２が形成されている。
【００４１】
この第２の実施形態における独立巻線部分（セクション１４７ａ，ｂ）では、前述した如く、第１の導線を巻回する領域（セクション１４７ａ）と、第２の導線を巻回する領域（セクション１４７ｂ）とが巻軸に沿って交互に配され、そのセクション１４７ａ，ｂに巻回される導線と、そのセクションに巻回されない導線１４７ａ，ｂとの絶縁状態が良好に保持されるように、かつ自動巻線機等を用いても導線の巻回操作を行ない得るように前述した溝部１５１、１５２が設けられている。
【００４２】
すなわち、図１０（ａ）に示すように、一方の導線１７１ａについて巻回操作がなされるセクション１４７ａにおいては、巻回操作が行われない他方の導線１７１ｂが、上記溝部１５１に埋め込まれて、このセクション１４７ａに巻回される一方の導線１７１ａの下方を通過することで、導線１７１ａとの間の絶縁処理がなされるようになっている。
【００４３】
一方、図１０（ｂ）に示すように、他方の導線１７１ｂについて巻回操作がなされるセクション１４７ｂにおいては、巻回操作が行われない一方の導線１７１ａが、上記溝部１５２間に張設されて、このセクション１４７ｂに巻回される他方の導線１７１ｂの上方を通過することで、導線１７１ｂとの間の絶縁処理がなされるようになっている。
【００４４】
なお、上記溝部１５１は導線１７１ｂを埋設した際に、そのセクション１４７ａに巻回される導線１７１ａと接触しない程度の深さを有するように形成されており、また、埋設する導線１７１ｂがこの溝部１５１内で浮き上がらない程度に張設されている。また、上記溝部１５２は、導線１７１ａを張設した際に、そのセクション１４７ｂに巻回される導線１７１ｂと接触しない程度の深さを有するように形成されており、また、導線１７１ａが、この溝部１５２からはずれない程度に張設されている。
【００４５】
この第２の実施形態においては、巻回されないセクションを渡す態様が２本の導線１７１ａ，ｂ間で互いに異なっており、溝部１５１に埋め込まれる処理がなされる導線１７１ａの巻回操作を溝部１５２間に張設される導線１７１ｂの巻回操作に所定タイミングだけ先行して行なうように設定することにより、１つのボビン１２１に対する２本の導線１７１ａ，ｂの巻回操作を同時に行なうことができる。これにより、製造時間の短縮を図ることができる。
【００４６】
なお、本発明の高圧トランスとしては、上述したものに限られるものではなく、種々の態様の変更を採用可能であり、例えば、上述した実施形態では、２次側巻線を２本設けた場合について説明するものであるが、これに替え、２次側巻線を３本以上設けるようにしてもよい。
【００４７】
また上記実施形態においては、互いに異なる導線を巻回するセクションが交互に配列されるように構成されているが、互いに異なる導線を巻回するセクションは、必ずしも交互もしくは規則的に配列されていなくともよく、さらに低電圧側のセクションおよび高電圧側のセクションの数は適宜選択可能である。
【００４８】
また、該各セクションに巻回される所定の巻線以外の巻線を、該所定の巻線との間で絶縁して通過せしめる溝部は、種々のタイプのものを採用可能であり、例えば、２次側巻線を３本設けた場合に、第１の巻線については上記溝部５１のタイプにより、また、第２の巻線については上記溝部１５１のタイプにより、さらに、第３の巻線については上記溝部１５２のタイプにより、各々絶縁処理を行なうようにすることが可能である。
【００４９】
さらに、所定の高電圧側のセクションにおいて巻回される巻線と、そのセクションに巻回されない巻線との絶縁を図る手段は、溝部に限られるものではなく、例えば、これら２本の巻線間に絶縁部材を介在させることも可能である。
【００５０】
さらに、前述したように、上記磁芯２９、３０はフェライトにより形成されていることが好ましいが、例えば、パーマロイ、センダスト、鉄カルボニル等の材料を用いることが可能であり、これらの微粉末を圧縮成型したダストコアを使用することも可能である。
【００５１】
さらに、本発明の高圧トランスは、インバータトランスのみならず、その他の種々のトランスに適用することが可能である。
【００５２】
【発明の効果】
以上に説明したように、本発明の高圧トランスによれば、２次側巻線の巻回領域を、複数の絶縁仕切板によって巻軸の軸方向に複数のセクションに分割し、各セクションのうち、低電圧側のセクションにおいては、複数の巻線を同一のセクションに巻回するように、一方、高電圧側のセクションにおいては、各巻線毎に、各巻線に対応するセクションに巻回するように構成されており、２次側巻線が巻回される各セクションが、低電圧側の共通巻線部分と、高電圧側の独立巻線部分とに区別されることになる。これにより、複数本の巻線間で絶縁破壊のおそれがない低電圧側ではこれら複数本の巻線が共通に巻回されて省スペース化が図られ、一方、高電圧側では複数本の巻線が各別に巻回され、各巻線に対して負荷となる放電灯の放電、点灯のタイミングに時差がある場合等においても複数本の巻線間で絶縁破壊が生じるのを阻止することが可能となる。
【００５３】
したがって、本発明の高圧トランスによれば、大幅な小型化および低コスト化を図りつつ、１つのトランスにより複数個の放電ランプを安定して放電、点灯することが可能である。
【００５４】
また、上述した高圧側の各セクションにおいて、該各セクションに巻回される所定の巻線以外の巻線を、該所定の巻線との間で絶縁して通過せしめる溝部を設けるように構成することで、複数本の巻線間で絶縁破壊が生じるおそれがある高電圧側で、容易かつ安価に、これら複数本の巻線間の絶縁処理を行なうことができる。
【図面の簡単な説明】
【図１】本発明の第１実施形態に係る高圧トランスにおける、上面図（ａ）、および（ａ）におけるＡ−Ａ線縦断面図（ｂ）
【図２】本発明の第１実施形態に係る高圧トランスにおける、一部側面図（ａ）、および（ａ）におけるＢ−Ｂ線縦断面図（ｂ）
【図３】本発明の第１実施形態に係る高圧トランスのボビンにおける、上面図（ａ）、底面図（ｂ）、および側面図（ｃ）
【図４】本発明の第１実施形態に係る高圧トランスのボビンにおける要部斜視図
【図５】本発明の第１実施形態に係る高圧トランスのボビンの溝部についての、要部拡大前面図（ａ）、および要部拡大上面図（ｂ）
【図６】本発明の第１実施形態に係る高圧トランスを含むインバータ回路を示す回路図
【図７】本発明の第２実施形態に係る高圧トランスのボビンにおける、上面図（ａ）、および底面図（ｂ）
【図８】本発明の第２実施形態に係る高圧トランスのボビンにおける、Ａ側側面図（ａ）、およびＢ側側面図（ｂ）
【図９】本発明の第２実施形態に係る高圧トランスのボビンにおける、Ａ側要部斜視図（ａ）、およびＢ側要部斜視図（ｂ）
【図１０】本発明の第２実施形態に係る高圧トランスのボビンの溝部についての、Ａ側要部拡大図（ａ）、およびＢ側要部拡大図（ｂ）
【図１１】従来技術に係る高圧トランスを示す概略図
【符号の説明】
１１　　　高圧トランス
１７ａ〜１７ｅ、１８ａ，ｂ、
１１７ａ〜１１７ｅ、１１８ａ，ｂ　　　端子ピン
２１、１２１　　　ボビン
２７、２８、１２７、１２８　　　巻線用端子台
２９　　　枠状磁芯
３０　　　棒状磁芯
４１ａ，ｂ、１４１ａ，ｂ　　　鍔板
４２、４３、４４、１４２、１４３、１４４　　　仕切り板
４５、１４５　　　セクション（１次側巻線側）
４６、４７ａ，ｂ、１４６、１４７ａ，ｂ　　　セクション（２次側巻線側）
４９、５０、５１、１５１、１５２　　　溝部
７１ａ、１７１ａ　　　第１の導線
７１ｂ、１７１ｂ　　　第２の導線
９０　　　スイッチング回路
９２　　　発振制御用ＩＣ
１０１　　　１次側巻線
１０２ａ，ｂ　　　２次側巻線
ＣＦＬ１，２　　　冷陰極放電ランプ
【図１】
2004087659.tif 000003
【図２】
2004087659.tif 000004
【図３】
2004087659.tif 000005
【図４】
2004087659.tif 000006
【図５】
2004087659.tif 000007
【図６】
2004087659.tif 000008
【図７】
2004087659.tif 000009
【図８】
2004087659.tif 000010
【図９】
2004087659.tif 000011
【図１０】
2004087659.tif 000012
【図１１】
2004087659.tif 000013